(57)【要約】  本発明は、建築物の窓戸を構成するようにモジュール化して構成されるスライディング方式の窓とドア方式の窓またはドアをこれら間の空間に固定窓を共に配置しつつ、横方向に連続して配置し、連結設置するモジュール化した窓戸の連結設置構造に関する。本発明によれば、スライディング方式の窓とドア方式の窓またはドアをこれら間の空間に固定窓を共に配置しつつ、横方向に連続して配置し、連結設置する窓戸の連結設置構造を構成する構成品の立面が形成するフレームの横方向の断面連結構造が、（窓ガラスまたはドアパネル）−窓サッシフレーム−窓枠フレーム−（固定窓の窓ガラス）だけから構成される単純化した二重フレーム支持構造を提供することができるようにモジュール化した窓戸の連結設置構造を提供する。
2019520504.tif 000002
【特許請求の範囲】
【請求項１】
モジュール化して構成されるスライディング方式の窓（１００）とドア方式の窓（２００、３００）または出入り用に使用される一般ドア（４００）をそれらの間の空間に固定窓（＜Ｆ＞）を配置しつつ、横方向に連続して配置し、連結設置するモジュール化した窓戸の連結設置構造において、スライディング方式の窓（１００）とドア方式の窓（２００、３００）またはドア（４００）の間の空間に設置される固定窓（＜Ｆ＞）の窓ガラスＧＬの側面部を固定設置できるガラス側面設置手段（１１４、２１４、３１４、４１４）をスライディング方式の窓（１００）とドア方式の窓（２００、３００）またはドア（４００）を構成する窓サッシフレーム（１２０、２２０、３２０）またはドアサッシフレーム（４２０）の外郭枠を構成する窓枠フレーム（１１０、２１０、３１０）またはドア枠フレーム（４１０）の横方向の外側面に直接提供し、
スライディング方式の窓（１００）とドア方式の窓（２００、３００）またはドア（４００）の間の空間に設置される固定窓（＜Ｆ＞）の窓ガラスＧＬの上端部と下端部をそれぞれ固定する第１横方向カーテンウォール部材（５１０）と第２横方向カーテンウォール部材（５２０）を提供し、
窓サッシフレーム（１２０、２２０、３２０）またはドアサッシフレーム（４２０）の外郭枠を構成する窓枠フレーム（１１０、２１０、３１０）またはドア枠フレーム（４１０）の横方向の外側面の上端部と下端部に前記第１横方向カーテンウォール連結部材（５１０）と前記第２横方向カーテンウォール連結部材（５２０）を連結固定する固定手段（５００）を提供し、かつ、
前記第１横方向カーテンウォール連結部材（５１０）の下部面と前記第２横方向カーテンウォール連結部材（５２０）の上部面にスライディング方式の窓とドア方式の窓またはドアの間の空間に設置される固定窓（＜Ｆ＞）の窓ガラス（ＧＬ）の上下部をそれぞれ固定設置できるガラス上下側設置手段（５１４、５２４）を提供することを特徴とするモジュール化した窓戸の連結設置構造。
【請求項２】
前記スライディング方式の窓（１００）とドア方式の窓（２００、３００）またはドア（４００）の前記窓枠フレーム（１１０、２１０、３１０）またはドア枠フレーム（４１０）の厚さは、内部に結合される窓サッシフレーム（１２０、２２０、３２０）またはドアサッシフレーム（４２０）のうち最も厚いものを収容できる厚さ（ｅ）を有するように設定され、前記スライディング方式の窓（１００）とドア方式の窓（２００、３００）またはドア（４００）の前記窓枠フレーム（１１０、２１０、３１０）またはドア枠フレーム（４１０）それぞれの幅（ｆ）と厚さ（ｅ）が同一であるように構成し、かつ、前記第１横方向カーテンウォール連結部材（５１０）と前記第２横方向カーテンウォール連結部材（５２０）の高さ（ｆ）および厚さ（ｅ）も、前記窓枠フレーム（１１０、２１０、３１０）またはドア枠フレーム（４１０）それぞれの幅（ｆ）および厚さ（ｅ）と一致するように形成することを特徴とする請求項１に記載のモジュール化した窓戸の連結設置構造。
【請求項３】
前記窓枠フレーム（１１０、２１０、３１０）またはドア枠フレーム（４１０）の外側面に提供される前記ガラス側面設置手段（１１４、２１４、３１４、４１４）は、窓枠フレーム（１１０、２１０、３１０）またはドア枠フレーム（４１０）の横方向の外側面に提供されるものであって、窓ガラス（ＧＬ）の前面と後面を支持する固定クリップ（ｓｃ）と弾性クリップ（ｔｃ）が挿入固定され得るように凹溝形態で提供されることを特徴とする請求項１または２に記載のモジュール化した窓戸の連結設置構造。
【請求項４】
前記ガラス側面設置手段（１１４、２１４、３１４、４１４）を構成する二つの凹溝の間に熱橋遮断部材（１１６、２１６、３１６、４１６）が追加に嵌着設置されることを特徴とする請求項３に記載のモジュール化した窓戸の連結設置構造。
【請求項５】
前記窓枠フレーム（１１０、２１０、３１０）またはドア枠フレーム（４１０）の内側面には、その内部に結合される多様な種類の窓サッシフレーム（１２０、２２０、３２０）またはドアサッシフレーム（４２０）の構造的差異点に対応する形状の結合具（１１２、２１２、３１２、４１２）が提供されることを特徴とする請求項３に記載のモジュール化した窓戸の連結設置構造。
【請求項６】
前記窓枠フレーム（１１０、２１０、３１０）またはドア枠フレーム（４１０）の側面の上下端部の連結部分には、固定手段（５００）として締結ガイド（５００ａ、５００ｂ）が設置され、該締結ガイド（５００ａ、５００ｂ）は、前記第１および第２横方向カーテンウォール部材（５１０、５２０）の断面の内部に挿入収容されて締結固定されることを特徴とする請求項３に記載のモジュール化した窓戸の連結設置構造。
【請求項７】
前記第１横方向カーテンウォール連結部材（５１０）の下部面と前記第２横方向カーテンウォール連結部材（５２０）の上部面に提供される前記ガラス上下側設置手段（５１４、５２４）は、固定窓の窓ガラス（ＧＬ）の前面と後面を支持する固定クリップ（ｓｃ）と弾性クリップ（ｔｃ）が挿入固定され得るように二つの凹溝形態で提供され、かつ、
前記ガラス上下側設置手段（５１４、５２４）を構成する二つの凹溝の間には、熱橋遮断部材（５１６、５２６）が追加に嵌着設置されることを特徴とする請求項３に記載のモジュール化した窓戸の連結設置構造。
【発明の詳細な説明】
【技術分野】
【０００１】
本発明は、建築物の窓戸を構成するようにモジュール化して構成されるスライディング方式の窓と、ドア方式の窓またはドアをこれら間の空間に固定窓を共に配置しつつ、建築物の壁面に横方向に連続して配置し、連結設置するためのモジュール化した窓戸の連結設置構造に関する。
【背景技術】
【０００２】
建築物の採光と通風のために提供される窓の種類は、その開閉原理によってスライディング方式で開閉される引き窓と、押したり引いて開閉されるドア方式のスイング窓とに区分されるということが一般的である。
【０００３】
スライディング方式の窓は、図１および図２に示されたように、一般的に二つ以上の窓サッシが二つ以上のレイヤーを形成するので、窓枠の厚さａが広く、これとは異なって、ドア方式の窓は、図３〜図６に示されたように、一つの窓サッシまたは二つ以上の窓サッシ（両開き型の場合であって、図面には図示していない）が一つのレイヤーを形成するので、窓枠の厚さｂまたはｃが相対的に狭く形成される。
【０００４】
このようなスライディング方式の窓（引き窓）とドア方式の窓（スイング窓）が共に一列に横方向に連続して配置されるように設計し施工する場合、窓枠の厚さの差によって窓枠の周辺を仕上げることが難しく、良好な仕上げ美観を提供しにくいという問題点を有する。
【０００５】
一方で、二つ以上のドア方式の窓を一列に横方向に連続して配置されるように設計し施工する場合には、前述したように、ドア方式の窓が適用される窓枠の厚さが狭くて、全体構造による耐風圧性に劣るという脆弱性を示すことになる。
【０００６】
また、図７〜図１０に示されたように、スライディング方式の窓（引き窓）１０とドア方式の窓（スイング窓）２０、３０または一般ドア４０が共に一列に横方向に連続して配置されるように設計するとき、窓枠の厚さの差を解消するために、図７および図８に示されたように、さらに大きい厚さｅを有するフレーム（下地枠）を窓枠の連結部の間にスライディング方式の窓（引き窓）１０とドア方式の窓（スイング窓）２０、３０または一般ドア４０を挿入する構造を採択することになるが、この際、下地枠の間にガラスが嵌着されなければならない場合には、下地枠に代わってカーテンウォールバーを使用することになる。ここで、カーテンウォールバーは、縦方向の支持部材であるマリオン（ｍｕｌｌｉｏｎ）ＣＷ−ｍと横方向の支持部材であるトランソム（ｔｒａｎｓｏｍ）ＣＷ−ｔから構成される。
【０００７】
このような下地枠またはカーテンウォールバーで製作されたフレームの内部に完成品形式でモジュール化して独立して製作されたスライディング方式の窓（ｓｌｉｄｉｎｇ  ｗｉｎｄｏｗ）１０と、内側開放型ターンアンドティルトドア方式の窓（ｉｎｗａｒｄ  ｏｐｅｎｉｎｇ  ｗｉｎｄｏｗ−ｔｕｒｎ  ａｎｄ  ｔｉｌｔ）２０、外側開放型ドア方式の窓（ｏｕｔｗａｒｄ  ｏｐｅｎｉｎｇ  ｗｉｎｄｏｗ）３０のようなドア方式の窓２０、３０またはガラス等他の種類のドアパネルを具備した一般ドア４０を図９（正面図）に示されたように挿入して全体的に連結された一つの連結構造を形成することになるが、図９のｋ−ｋライン断面図として図示された図１０に示されたように、それぞれの窓またはドアは、窓枠フレーム１１、２１、３１またはドア枠フレーム４１とその内部に設置される窓サッシフレーム１２、２２、３２またはドア枠フレーム４１から構成されるので、固定窓の窓ガラスＧＬをこれらの間に配置する連結構造において立面の形成するフレームの横方向断面連結構造は、（窓ガラスまたはドアパネル）−窓サッシフレーム−窓枠フレーム−カーテンウォールバーフレーム−（固定窓の窓ガラス）の三重フレーム支持構造を形成することになる。
【０００８】
このような三重フレーム構造を採択するようにすることにより、窓枠フレーム１１、２１、３１またはドア枠フレーム４１のそれぞれの厚さａ、ｂ、ｃ、ｄより大きい厚さｅ、すなわち最も大きい厚さｅを有する下地枠またはカーテンウォールバーを用いて異なる多様な厚さａ、ｂ、ｃ、ｄを有する窓またはドアは、窓枠フレーム１１、２１、３１またはドア枠フレーム４１を一つの連結構造を形成することができるようにするが、これにより、立面にある程度の統一感を与えることができるようにし、そして、窓戸の周辺の仕上げ作業が適切に行われ得るようにする。
【０００９】
このような従来の三重フレーム構造連結技術によれば、窓サッシの開閉時に発生する衝撃による振動制御と風圧に対する耐圧性の側面で構造的な補完を提供することができるという点から長所を有するのに対し、マリオンとトランソムから構成されるカーテンウォールバーフレームのため、厚い立面を形成して、美観上良くなく、且つ、窓ガラスを介して開放される展望を最大限確保することが難しく、下地枠やカーテンウォールバーを追加に使用することにより、経済的にも不利であるという問題点を有する。
【発明の概要】
【発明が解決しようとする課題】
【００１０】
本発明は、前述した従来技術の一般的かつ共通の問題点を解決するためのものであって、本発明が解決しようとする技術的課題は、立面に一層良好な統一感を与え、窓戸の周辺の仕上げを容易に行うことができるようにし、窓サッシの開閉時に発生する衝撃による振動制御と風圧に対する耐圧性の側面で構造的な補完性を維持できるようにしながらも、さらにスリムな立面を形成して良好な美観を提供しつつ、縦方向に設置されるカーテンウォールバーの使用を最小化させることにより、さらに広く開放された展望を確保することができるようにしながらも、経済的にも有利な建築物の窓戸連結設置構造を提供することにあり、より具体的には、スライディング方式の窓とドア方式の窓またはドアをこれら間の空間に固定窓を共に配置しつつ、横方向に連続して配置し、連結設置する窓戸連結設置構造を構成する構成品の立面が形成するフレームの横方向断面連結構造が、「（窓ガラスまたはドアパネル）−窓サッシフレーム−窓枠フレーム−（固定窓の窓ガラス）」だけから構成される単純化した二重フレーム支持構造を提供することができるように、モジュール化した窓戸の連結設置構造を提供することにある。
【課題を解決するための手段】
【００１１】
本発明は、前述した技術的課題を解決するために、モジュール化して構成されるスライディング方式の窓とドア方式の窓またはドアをこれら間の空間に固定窓を共に配置しつつ、横方向に連続して配置し、連結設置するモジュール化した窓戸の連結設置構造において、
スライディング方式の窓とドア方式の窓またはドア間の空間に設置される固定窓の窓ガラスの側面部を固定設置できるガラス側面設置手段をスライディング方式の窓とドア方式の窓またはドアを構成する窓サッシフレームまたはドアサッシフレームの外郭枠を構成する窓枠フレームまたはドア枠フレームの横方向の外側面に直接提供し、
スライディング方式の窓とドア方式の窓またはドア間の空間に設置される固定窓の窓ガラスの上端部と下端部をそれぞれ固定する第１横方向カーテンウォール部材と第２横方向カーテンウォール部材を提供し、
窓サッシフレームまたはドアサッシフレームの外郭枠を構成する窓枠フレームまたはドア枠フレームの横方向の外側面の上端部と下端部に前記第１横方向カーテンウォール連結部材と前記第２横方向カーテンウォール連結部材を連結固定する固定手段を提供し、かつ、
前記第１横方向カーテンウォール連結部材の下部面と前記第２横方向カーテンウォール連結部材の上部面にスライディング方式の窓とドア方式の窓またはドア間の空間に設置される固定窓の窓ガラスの上下部をそれぞれ固定設置できるガラス上下側設置手段を提供することを特徴とするモジュール化した窓戸の連結設置構造を提供する。
【００１２】
ここで、前記スライディング方式の窓とドア方式の窓またはドアの前記窓枠フレームまたはドア枠フレームの厚さは、内部に結合される窓サッシフレームまたはドアサッシフレームのうち最も厚いものを収容できる厚さを有するように設定され、前記スライディング方式の窓とドア方式の窓またはドアの前記窓枠フレームまたはドア枠フレームそれぞれの幅と厚さが同一であるように構成し、かつ、前記第１横方向カーテンウォール連結部材と前記第２横方向カーテンウォール連結部材の高さおよび厚さも、前記窓枠フレームまたはドア枠フレームそれぞれの幅および厚さと一致するように形成することが、立面の統一感の向上の側面においてさらに好ましい。
【発明の効果】
【００１３】
本発明によれば、スライディング方式の窓とドア方式の窓またはドアをこれら間の空間に固定窓を共に配置しつつ、横方向に連続して配置し、連結設置してなる窓戸連結設置構造を構成する構成品の立面が形成するフレームの横方向断面連結構造が、「（窓ガラスまたはドアパネル）−窓サッシフレーム−窓枠フレーム−（固定窓の窓ガラス）」だけから構成される単純化した二重フレーム支持構造を提供できることになる。
【００１４】
また、本発明によれば、モジュール化した多様な規格と種類の窓戸を連結設置するときに設置された立面に統一感を付与することができるとともに、カーテンウォールバーの使用を除去ないしは最小化させることにより、さらにスリムな立面を形成して良好な美観を提供し、かつ、さらに広く開放された展望を確保することができるようにする効果を提供する。
【００１５】
また、本発明によれば、縦方向に設置されるカーテンウォールバー部材の使用を抑制することにより、窓戸の周辺の仕上げ作業を一層容易に行うことができるようにして、作業簡便性と経済性を向上させる効果を提供しながらも、縦方向のカーテンウォールバーを含む従来の構造と比べて、衝撃による振動制御の側面と風圧に対する耐圧性の側面において構造的な安定性を維持できるようにする。
【図面の簡単な説明】
【００１６】
【図１】従来技術によってモジュール化したスライディング方式の窓の閉状態と開状態との間の変化を示す断面状態（縦断面図：図１）を示す図である。
【図２】従来技術によってモジュール化したスライディング方式の窓の閉状態と開状態との間の変化を示す平面状態（横断面図：図２）を示す図である。
【図３】従来技術によってモジュール化した内側開放ドア方式の窓の閉状態と開状態との間の変化を示す平面状態（ＴＵＲＮ開放横断面図：図３）を示す図である。
【図４】従来技術によってモジュール化した内側開放ドア方式の窓の閉状態と開状態との間の変化を示す断面状態（ＴＩＬＴ開放縦断面図：図４）を示す図である。
【図５】従来技術によってモジュール化した外側開放ドア方式の窓の閉状態と開状態との間の変化を示す平面状態（ＴＵＲＮ開放横断面図：図５）を示す図である。
【図６】従来技術によってモジュール化した外側開放ドア方式の窓の閉状態と開状態との間の変化を示す断面状態（ＴＩＬＴ開放縦断面図：図６）を示す図である。
【図７】従来技術によってモジュール化したスライディング方式の窓とドア方式の窓を横方向に連続して配置するためにあらかじめ設置されるフレーム（下地枠）の正面図である。
【図８】フレームにガラスが設置されるカーテンウォールバーから構成される場合の横断面図である。
【図９】従来技術によってモジュール化したスライディング方式の窓とドア方式の窓をフレーム（カーテンウォールバー）の内部に挿入しつつ、横方向に連続して配置する状態を示す正面図である。
【図１０】従来技術によってモジュール化したスライディング方式の窓とドア方式の窓をフレーム（カーテンウォールバー）の内部に挿入しつつ、横方向に連続して配置する状態を示す横断面図である。
【図１１】本発明の好ましい一実施形態によってモジュール化したスライディング方式の窓とドア方式の窓または一般ドアの窓枠またはドア枠フレームの側面の上下端部をそれぞれ第１および第２横方向カーテンウォール部材でそれぞれ連結して横方向に連続して配置する状態を示す正面図と、その連結部分Ｋに対する拡大分解斜視図である。
【図１２】図１１に示された本発明の好ましい一実施形態に係るモジュール化した窓戸の連結設置構造においてスライディング方式の窓の部分の横断面図（ｋ１−ｋ１断面）である。
【図１３】図１２に示された窓枠フレームの側面部のガラス側面設置手段に窓ガラスＧＬが直接結合された状態を拡大して示す図である。
【図１４】図１３でスライディング方式の窓の移動窓の部分に対するａ１−ａ１方向の縦断面図である。
【図１５】図１３でスライディング方式の窓の固定窓部分に対するａ２−ａ２方向の縦断面図である。
【図１６】図１１に示された本発明の好ましい一実施形態に係るモジュール化した窓戸の連結設置構造において内側開放型ドア方式の窓部分の横断面図（ｋ２−ｋ２断面）である。
【図１７】図１６に示された窓枠フレームの側面部のガラス側面設置手段に窓ガラスＧＬが直接結合された状態を示す図である。
【図１８】図１７のドア方式の窓部分に対するａ１−ａ１方向の縦断面図である。
【図１９】図１１に示された本発明の好ましい一実施形態に係るモジュール化した窓戸の連結設置構造において外側開放型ドア方式の窓部分の横断面図（ｋ３−ｋ３断面）である。
【図２０】図１９に示された窓枠フレームの側面部のガラス側面設置手段に窓ガラスＧＬが直接結合された状態を示す図である。
【図２１】図２０の外側開放型ドア方式の窓部分に対するａ１−ａ１方向の縦断面図である。
【図２２】図１１に示された本発明の好ましい一実施形態に係るモジュール化した窓戸の連結設置構造において出入り用に使用できる一般ドア部分の横断面図（ｋ４−ｋ４断面）である。
【図２３】図２２に示されたドア枠フレームの側面部のガラス側面設置手段に窓ガラスＧＬが直接結合された状態を示す図である。
【図２４】図２３の一般ドア部分に対するａ１−ａ１方向の縦断面図である。
【図２５】図１１に示された本発明の好ましい一実施形態に係るモジュール化した窓戸の連結設置構造において窓枠またはドア枠フレームの側面の上下端部を相互連結する第２横方向カーテンウォール部材の縦断面図（ｋ５−ｋ５断面）である。
【発明を実施するための形態】
【００１７】
以下、添付の図面を参照して本発明の実施形態について本発明の属する技術分野における通常の知識を有する者が容易に実施することができるように詳細に説明する。しかし、本発明は、様々な異なる形態で具現され得、ここで説明する実施形態に限定されない。
【００１８】
本発明の好ましい一実施形態によれば、図１１〜図２５に示されたように、モジュール化して構成されるスライディング方式の窓１００とドア方式の窓２００、３００または出入り用に使用される一般ドア４００をそれら間の空間に固定窓＜Ｆ＞を配置しつつ、横方向に連続して配置し、連結設置するモジュール化した窓戸の連結設置構造において、スライディング方式の窓１００とドア方式の窓２００、３００またはドア４００の間の空間に設置される固定窓＜Ｆ＞の窓ガラスＧＬの側面部を固定設置できるガラス側面設置手段１１４、２１４、３１４、４１４をスライディング方式の窓１００とドア方式の窓２００、３００またはドア４００を構成する窓サッシフレーム１２０、２２０、３２０またはドアサッシフレーム４２０の外郭枠を構成する窓枠フレーム１１０、２１０、３１０またはドア枠フレーム４１０の横方向の外側面に直接提供し、
スライディング方式の窓１００とドア方式の窓２００、３００またはドア４００の間の空間に設置される固定窓＜Ｆ＞の窓ガラスＧＬの上端部と下端部をそれぞれ固定する第１横方向カーテンウォール部材５１０と第２横方向カーテンウォール部材５２０を提供し、
窓サッシフレーム１２０、２２０、３２０またはドアサッシフレーム４２０の外郭枠を構成する窓枠フレーム１１０、２１０、３１０またはドア枠フレーム４１０の横方向の外側面の上端部と下端部に前記第１横方向カーテンウォール連結部材５１０と前記第２横方向カーテンウォール連結部材５２０を連結固定する固定手段５００を提供し、かつ、
前記第１横方向カーテンウォール連結部材５１０の下部面と前記第２横方向カーテンウォール連結部材５２０の上部面にスライディング方式の窓とドア方式の窓またはドアの間の空間に設置される固定窓＜Ｆ＞の窓ガラスＧＬの上下部をそれぞれ固定設置できるガラス上下側設置手段５１４、５２４を提供することを特徴とするモジュール化した窓戸の連結設置構造を提供する。
【００１９】
ここで、前記スライディング方式の窓１００とドア方式の窓２００、３００またはドア４００の前記窓枠フレーム１１０、２１０、３１０またはドア枠フレーム４１０の厚さは、内部に結合される窓サッシフレーム１２０、２２０、３２０またはドアサッシフレーム４２０のうち最も厚いものを収容できる厚さｅを有するように設定され、前記スライディング方式の窓１００とドア方式の窓２００、３００またはドア４００の前記窓枠フレーム１１０、２１０、３１０またはドア枠フレーム４１０それぞれの幅ｆと厚さｅが同一であるように構成し、そして、前記第１横方向カーテンウォール連結部材５１０と前記第２横方向カーテンウォール連結部材５２０の高さｆおよび厚さｅも、前記窓枠フレーム１１０、２１０、３１０またはドア枠フレーム４１０それぞれの幅ｆおよび厚さｅと一致するように形成することが、立面の統一感の向上の側面においてさらに好ましい。
【００２０】
また、本発明によって前記窓枠フレーム１１０、２１０、３１０またはドア枠フレーム４１０の外側面に提供される前記ガラス側面設置手段１１４、２１４、３１４、４１４は、窓枠フレーム１１０、２１０、３１０またはドア枠フレーム４１０の横方向の外側面に提供されるものであって、固定窓サッシ１２０ｆと移動窓サッシ１２０ｍを具備したスライディング方式の窓１００に対する図１２および図１３、内側開放型ドア方式の窓２００に対する図１６および図１７、外側開放型ドア方式の窓３００に対する図１９および図２０、そして一般ドア４００に対する図２２および図２３に示されたように、窓ガラスＧＬの前面と後面を支持する固定クリップｓｃと弾性クリップｔｃが挿入固定され得るように凹溝形態で提供されることが好ましく、そして、前記ガラス側面設置手段１１４、２１４、３１４、４１４を構成する二つの凹溝の間にプラスチック材質の熱橋遮断部材１１６、２１６、３１６、４１６が追加に嵌着設置されることが、窓戸システムの断熱性能の向上にさらに好ましい。
【００２１】
一方、図１２、図１６、図１９、および図２２を相互比較してみると、確認できるように、本発明によれば、前記窓枠フレーム１１０、２１０、３１０またはドア枠フレーム４１０の内側面の構造は、その内部に結合される多様な種類の窓サッシフレーム１２０、２２０、３２０またはドアサッシフレーム４２０の構造的差異点に対応する多様な形状の結合具１１２、２１２、３１２、４１２が提供される。
【００２２】
また、本発明の好ましい一実施形態の全体構造を添付の図面を参照してより具体的に記述すると、図１１に示されたように、モジュール化したスライディング方式の窓１００とドア方式の窓２００、３００または一般ドア４００の窓枠フレーム１１０、２１０、３１０またはドア枠フレーム４１０の側面の上下端部をそれぞれ第１および第２横方向カーテンウォール部材５１０、５２０でそれぞれ連結して、横方向に連続して配置することになるが、窓枠フレーム１１０、２１０、３１０またはドア枠フレーム４１０の側面の上下端部の連結部分Ｐａｒｔ−Ｍには、固定手段５００として締結ガイド５００ａ、５００ｂが設置され、該締結ガイド５００ａ、５００ｂは、第１および第２横方向カーテンウォール部材５１０、５２０の断面の内部に挿入収容（ｉｎｓｅｒｔ）されて、スクリュー等を介して締結固定される方式で相互連結され得る。
【００２３】
図１１に設置状態が例示されたそれぞれのモジュール化したスライディング方式の窓１００、ドア方式の窓２００、３００、および一般ドア４００の設置状態を図４に示したｋ１−ｋ１断面状態、ｋ２−ｋ２断面状態、ｋ３−ｋ３断面状態、およびｋ４−ｋ４断面状態、すなわち図１２および図１３、図１６および図１７、図１９および図２０、そして図２２および図２３の断面図を通じて確認することができる。
【００２４】
前述したように、図１２および図１３は、固定窓サッシ１２０ｆと移動窓サッシ１２０ｍを具備したスライディング方式の窓１００部分の横断面図（ｋ１−ｋ１断面）を示しているが、図１３は、窓ガラスガラスを除いて図示した図１２とは異なって、窓サッシフレーム１２０の外郭を形成する窓枠フレーム１１０の側面部に凹溝形態で提供されたガラス側面設置手段１１４に固定クリップｓｃと弾性クリップｔｃを介して隣接した固定窓＜Ｆ＞の窓ガラスＧＬが直接結合された状態を示している。このように構成されるスライディング方式の窓１００の移動窓サッシ１２０ｍと固定窓サッシ１２０ｆは、移動窓部分に対する縦断面図（ａ１−ａ１断面）と固定窓部分に対する縦断面図（ａ２−ａ２断面）を示した図１４および図１５に示されたように設置されることになる。
【００２５】
また、図１６および図１７は、内側開放型ドア方式の窓２００部分の横断面図（ｋ２−ｋ２断面）を示しているが、図１７は、窓ガラスガラスを除いて図示した図６ａとは異なって、窓サッシフレーム２２０の外郭を形成する窓枠フレーム２１０の側面部に凹溝形態で提供されたガラス側面設置手段２１４に固定クリップｓｃと弾性クリップｔｃを介して隣接する固定窓＜Ｆ＞の窓ガラスＧＬが直接結合された状態を示している。このように構成される内側開放型ドア方式の窓２００は、縦断面図（ａ１−ａ１断面）を示す図１８に示されたように設置されることになる。
【００２６】
また、図１９および図２０は、外側開放型ドア方式の窓３００部分の横断面図（ｋ３−ｋ３断面）を示しているが、図２０は、窓ガラスガラスを除いて図示した図７ａとは異なって、窓サッシフレーム３２０の外郭を形成する窓枠フレーム３１０の側面部に凹溝形態で提供されたガラス側面設置手段３１４に固定クリップｓｃと弾性クリップｔｃを介して隣接する固定窓＜Ｆ＞の窓ガラスＧＬが直接結合された状態を示している。このように構成される外側開放型ドア方式の窓３００は、縦断面図（ａ１−ａ１断面）を示す図２１に示されたように設置されることになる。
【００２７】
また、図１１に示されたように、内側開放型ドア方式の窓２００と外側開放型ドア方式の窓３００との間に提供された出入り用途に使用される一般ドア４００周辺の横断面設置状態は、図２２および図２３の横断面図（ｋ４−ｋ４断面）を通じて把握できるが、図２３は、窓ガラスガラスを除いて図示した図８ａとは異なって、ドアサッシフレーム４２０の外郭を形成するドア枠フレーム４１０の側面部に凹溝形態で提供されたガラス側面設置手段４１４に固定クリップｓｃと弾性クリップｔｃを介して固定窓＜Ｆ＞を形成する窓ガラスＧＬが直接結合された状態を示している。このように構成されるドア４００は、その縦断面図（ａ１−ａ１断面）を示す図２４に示されたように設置されることになる。
【００２８】
また、図２５に示されたように、前記第１横方向カーテンウォール連結部材５１０の下部面と前記第２横方向カーテンウォール連結部材５２０の上部面に提供される前記ガラス上下側設置手段５１４、５２４の場合にも、窓ガラスＧＬの前面と後面を支持する固定クリップｓｃと弾性クリップｔｃが挿入固定され得るように二つの凹溝形態で提供されることが好ましく、前記ガラス上下側設置手段５１４、５２４を構成する二つの凹溝の間には、プラスチック材質の熱橋遮断部材５１６、５２６が追加に嵌着設置されることが、窓戸システムの断熱性能の向上にさらに好ましい。
【００２９】
図１１の拡大図示されたＰａｒｔ−Ｍ部分の拡大図を通じてすでに説明された通り、本発明の好ましい実施形態に使用される前記第１横方向カーテンウォール連結部材５１０および前記第２横方向カーテンウォール連結部材５２０の両側の断面部は、窓枠フレーム１１０、２１０、３１０またはドア枠フレーム４１０の側面の上下端部に固定手段５００として提供された締結ガイド５００ａ、５００ｂを介して結合されて設置される。
【００３０】
一方、本発明に係るモジュール化した窓戸の連結設置構造を実際建築物の壁面に施工される窓戸に適用する過程中に、横方向の外側面に凹溝方式で提供されるガラス側面設置手段１１４、２１４、３１４、４１４を具備した窓枠フレーム１１０、２１０、３１０またはドア枠フレーム４１０が、部材の統一性の観点から、上部および下部の窓サッシフレーム１２０、２２０、３２０またはドアサッシフレーム４２０の外郭にも使用され得るが、この場合、図１１に示されたように、連結される両端部を４５°角度で切断接合して、四角形の枠を形成するようにする。
【００３１】
また、施工現場の状況に合わせて、それぞれの窓枠フレームとこれらの間に配置される第１横方向カーテンウォール連結部材５１０および第２横方向カーテンウォール連結部材５２０をまず連結して、全体的な窓戸アセンブリーを組み立てることにより、建築物の壁面に一体に施工することもでき、これとは異なって、例えば左側から右側方向にまず一つの窓枠フレーム（例えば、スライディング窓の窓枠フレーム１１０）とこれに連結される第１横方向カーテンウォール連結部材５１０および第２横方向カーテンウォール連結部材５２０を施工し、次に、他の窓（例えば、内側開放型ドア方式の窓）の窓枠フレーム２１０とその右側に他の第１横方向カーテンウォール連結部材５１０および第２横方向カーテンウォール連結部材５２０を施工する方式で順次に組み立てる方式で施工され得ることが当業者なら誰でも理解することができる。
【００３２】
以上、本発明の好ましい実施形態について詳細に説明したが、本発明の権利範囲は、これに限定されるものではなく、特許請求の範囲で定義している本発明の基本概念を利用した当業者の様々な変形および改良形態も、本発明の権利範囲に属するものである。
【図１】
2019520504.tif 000003
【図２】
2019520504.tif 000004
【図３】
2019520504.tif 000005
【図４】
2019520504.tif 000006
【図５】
2019520504.tif 000007
【図６】
2019520504.tif 000008
【図７】
2019520504.tif 000009
【図８】
2019520504.tif 000010
【図９】
2019520504.tif 000011
【図１０】
2019520504.tif 000012
【図１１】
2019520504.tif 000013
【図１２】
2019520504.tif 000014
【図１３】
2019520504.tif 000015
【図１４】
2019520504.tif 000016
【図１５】
2019520504.tif 000017
【図１６】
2019520504.tif 000018
【図１７】
2019520504.tif 000019
【図１８】
2019520504.tif 000020
【図１９】
2019520504.tif 000021
【図２０】
2019520504.tif 000022
【図２１】
2019520504.tif 000023
【図２２】
2019520504.tif 000024
【図２３】
2019520504.tif 000025
【図２４】
2019520504.tif 000026
【図２５】
2019520504.tif 000027
【国際調査報告】
2019520504.tif 000028
2019520504.tif 000029
2019520504.tif 000030
2019520504.tif 000031